(57)【特許請求の範囲】
【請求項１】
２０〜９８重量％のビスコースレーヨン、ポリノジックレーヨン、キュプラおよび鹸化アセテートよりなる群から選ばれる少なくとも一種類の再生セルロースと１〜７９重量％のカチオン化セルロース、カチオン化デンプン、カチオン化グアーガム、カチオン化デキストリンおよびポリ塩化ジメチルメチレンピペリジニウムよりなる群から選ばれる少なくとも一種類のカチオン性樹脂と１〜７９重量％のポリアクリル酸塩、カルボキシメチルセルロース、カルボキシメチルデンプン、アルギン酸、キサンタンガムおよびポリメタクリル酸塩よりなる群から選ばれる少なくとも一種類のアニオン性樹脂を含有する樹脂組成物から形成された繊維から構成されている不織布からなる水解性不織布に含浸させてウエットティッシュを形成する薬液であって、該薬液が、安息香酸ナトリウムが０．１〜２．０重量％、乳酸ナトリウムが０．０２５〜２．５重量％、および、フェノキシエタノールが０．１〜５．０重量％の範囲の量で水性溶媒に溶解させて該薬液のｐＨ値を３．０〜５．０の範囲内に調整されてなるウエットティッシュ用薬液。
【請求項２】
上記ウエットティッシュ用薬液が植物エキスを含み該植物エキスが、ブドウ葉エキス、アセンヤクエキス、アマチャエキス、アルテアエキス、アルニカエキス、アロエ液汁末、アロエエキス、イチョウエキス、イラクサエキス、カワラヨモギエキス、ウイキョウエキス、ウコンエキス、ゼニアオイエキス、エイジツエキス、ヒキオコシエキス、オウゴンエキス、オウバクエキス、オトギリソウエキス、オランダカラシエキス、海藻エキス、ヨモギエキス、カキ抽出液、カモミラエキス、カンゾウ抽出液、キキョウ抽出液、キクカ抽出液、キナエキス、キューカンバーエキス、キョウニンエキス、スイカズラエキス、クララエキス、クマザサ抽出液、ケイヒ抽出液、ゲンチアナエキス、ゲンノショウコエキス、酵母エキス、ゴボウエキス、コンフリーエキス、サフラン抽出液、サボンソウエキス、セージエキス、サンザシエキス、クチナシエキス、サンショウエキス、シイタケエキス、ジオウエキス、シソエキス、シャクヤクエキス、ドクダミエキス、ワレモコウエキス、ショウブ根エキス、ショテイシ抽出液、シラカバエキス、スギナエキス、セイヨウキズタエキス、セイヨウネズエキス、セイヨウノコギリソウエキス、セイヨウヤドリギ抽出液、センキュウエキス、センブリエキス、クワエキス、タイソウエキス、タイムエキス、チャ抽出液、チョウジエキス、チンピエキス、トウキンセンカエキス、トウキエキス、トウニンエキス、トウヒエキス、トマトエキス、ニクズク抽出液、ニワトコ抽出液、ニンジンエキス、スイカズラエキス、ノバラエキス、パセリエキス、ハマメリス抽出液、ビャクシ抽出液、ビワ葉エキス、フキタンポポエキス、ブクリョウエキス、プルーンエキス、ヘチマエキス、ベニバナエキス、セイヨウハッカエキス、ホップエキス、マロニエエキス、ムクロジエキス、メリッサエキス、モモ葉エキス、ヤグルマギクエキス、ユキノシタエキス、ユズ抽出液、ユリエキス、ヨクイニンエキス、ラベンダーエキス、リンゴエキス、レタスエキス、レモンエキス、レイシエキス、ローズマリーエキス、ローズ水およびローレル抽出液よりなる群から選ばれる少なくとも一種類の植物エキスであることを特徴とする請求項第1項記載のウエットティッシュ用薬液。
【請求項３】
上記水解性不織布が、さらに、平均繊維長８０mm未満の再生セルロース繊維を含む非水解性短繊維からなることを特徴とする請求項第1項記載のウエットティッシュ用薬液。
【請求項４】
２０〜９８重量％のビスコースレーヨン、ポリノジックレーヨン、キュプラおよび鹸化アセテートよりなる群から選ばれる少なくとも一種類の再生セルロースと１〜７９重量％のカチオン化セルロース、カチオン化デンプン、カチオン化グアーガム、カチオン化デキストリンおよびポリ塩化ジメチルメチレンピペリジニウムよりなる群から選ばれる少なくとも一種類のカチオン性樹脂と１〜７９重量％のポリアクリル酸塩、カルボキシメチルセルロース、カルボキシメチルデンプン、アルギン酸、キサンタンガムおよびポリメタクリル酸塩よりなる群から選ばれる少なくとも一種類のアニオン性樹脂を含有する樹脂組成物から形成された繊維から構成されているアルカリ成分をかい離するバインダーを含まない不織布からなる水解性不織布と、該不織布に含浸させた薬液とからなり、該薬液が、安息香酸ナトリウムが０．１〜２．０重量％、乳酸ナトリウムが０．０２５〜２．５重量％、および、フェノキシエタノールが０．１〜５．０重量％の範囲の量で水性溶媒に溶解させて該薬液のｐH値を３．０〜５．０の範囲内に調整されてなり、該水解性不織布および薬液が、液体不透過性包装袋に収納されている包装ウエットティッシュ。
【発明の詳細な説明】
【０００１】
【発明の技術分野】
本発明は、湿潤時において充分な強度を維持し、過剰の水中で好ましくは攪拌など外部応力が付与されることにより開繊して水性媒体に分散させることができる不織布を用いたウエットティッシュ用の薬液、デオドラント作用を有する薬液ならびに、このこの薬液が不織布に含浸されて包装された包装ウエットティッシュおよびデオドラント作用を有する薬液が含浸されて包装された包装ウエットティッシュに関する。
【０００２】
【発明の技術的背景】
掃除用布、介護用布あるいは清拭用布などとして不織布に液剤を含有させたウエットティッシュが使用されている。また、昨今のオシリ洗浄装置（例えば、ウォシュレットTM）の普及に伴って排出行為の後局部を清拭する習慣が定着しつつあり、このためウエットティッシュを携帯する人が次第に増加しつつある。このようなウエットティッシュは、不織布に液剤が含浸された状態で包装されていることから、高い耐水性が必要となり、一般にはこうしたウエットティッシュは水解性は有していない。従って、こうしたウエットティッシュは、使用後は普通ごみとして処理されていた。
【０００３】
しかしながら、こうした使用後のウエットティッシュには汚物が付着していることが多く、例えば水洗トイレなどで水解して使用後直ちに処理することが望ましい。
こうした要請下に、少量の水を含有した状態では水解することがなく、多量の水と接触した際に水解するウエットティッシュとして、非常に短い繊維を用いて交絡を形成した不織布に水性薬液を含浸させたものが使用されている。このように短繊維を用いることにより、少量の水性薬液を含有した際には不織布と形成する交絡が解かれることはないが、大過剰の水に投入すると１繊維あたりの交絡が少ないことから、この不織布は水解する。従って、このような短繊維から形成された不織布を用いたウエットティッシュは水洗処理可能なウエットティッシュとして使用されている。
【０００４】
このような短繊維からなる不織布とは全く別に、本発明者は、不織布を形成する繊維自体に水に分散する特性を付与することで、不織布を水解可能にできるとの知見を得て、こうした不織布について出願している。即ち、繊維自体にカチオン性基およびアニオン性基を導入することで、不織布を形成している繊維が大過剰の水に分散するようになり、他方、少量の水を含有した状態では、繊維は分散状態にまで至らないので、このような繊維を用いて形成された不織布は少量の水を含有した状態では良好な強度を有し、大過剰の水に投入した際には水解する。従って、このような不織布を用いて水解処理可能なウエットティッシュを得ることができる。さらに、このような不織布は、これを形成する繊維が長いため、短繊維からなる不織布よりも非常に良好な風合いを有しており、従って、人体の清拭、特に皮膚の弱い乳幼児あるいは老人などの皮膚を清拭するためのウエットティッシュとして好適である。
【０００５】
ところで、ウエットティッシュは、少量の水が不織布に含浸された状態にあり、こうした状態は、黴あるいは細菌の増殖にとって極めて好適な環境である。このためウエットティッシュを構成する薬液中には防腐・防黴剤を配合する必要がある。そして、このウエットティッシュは、直接肌に触れることから、防腐・防黴剤として、通常は化粧品原料として使用可能なものが使用される。
【０００６】
このような化粧品原料として使用可能な防腐・防黴剤としては、フェノール、パラクロロメタクレゾール、パラクロロメタキシレノール、イソプロピルメチルフェノール、レゾルシン、レソルシンモノアセテート、オルトフェニルフェノール、パラオキシ安息香酸エステル、フェノキシエタノール、チモール、ポロガロール、クレゾール、ヒノキチオール、ヒドロキシベンゾサチオールなどのフェノール類；安息香酸、安息香酸塩類、サリチル酸、サリチル酸塩類、デヒドロ酢酸および塩類、ソルビン酸および塩類、ホウ酸などの酸類；ヘキサクロロフェン、2,4,4'-トリクロロ-2-ハイドロキシジフェニルエーテルなどのハロゲン化ビスフェノール類；3,4,4'-トリクロロカルバアニリド、3-トリフルオロメチル-4,4'-ジクロロカルバニリド、ウンデシル酸モノエタノールアミド、クロロアセタミドなどのアミド類；塩化ベンザルコニウム、臭化アルキルイソキノリニウム、塩化ベンゼトニウム、塩化セチルピリジニウム、塩化デカリニウム、塩化アルキルトリメチルアンモニウムなどの４級アンモニウム化合物；ラウリルジ（アミノエチル）グリシン、ラウリルアミノエチルグリシンなどの両イオン性界面活性剤；ビス（パラクロロフェニルビグアニド）ヘキサン、テトラメチルラウジサルファイドなどがある。ウエットティッシュには、こうした防菌・防黴剤のなかでも、比較的刺激性が低く、安価で効果の高く、水に安定に溶解可能な、パラアルキル安息香酸塩類（商品名；パラペン）、安息香酸ナトリウム、塩化ベンザルコニウム、ＣＰＣ（塩化セチルピリジニウム）などが使用されることが多い。特に昨今のウエットティッシュでは、パラペン、塩化ベンザルコニウムなどが好んで使用されており、従来のウエットティッシュでは、これらは非常に優れた防菌・防黴性を示す。
【０００７】
ところが、カチオン性樹脂とアニオン性樹脂とを含有する樹脂組成物から形成された繊維を有する不織布を用いたウエットティッシュの薬液に上記ウエットティッシュの防菌・防黴剤として汎用しているパラペン、塩化ベンザルコニウム、塩化セチルピリジニウムを使用したところ、これらは防菌・防黴剤として殆ど機能しないことがわかった。これらの防菌・防黴剤は、従来のウエットティッシュでは、非常に良好な防菌・防黴剤であり、このような良好な防菌・防黴性を示していた防菌・防黴剤が、カチオン性樹脂とアニオン性樹脂とを含有する樹脂組成物から形成された繊維を有する不織布を用いたウエットティッシュでは殆ど防菌・防黴剤として機能しない理由は全く不明である。
【０００８】
そこで、化粧品原料として使用可能な防菌・防黴剤として許容されている上記化合物について、カチオン性樹脂とアニオン性樹脂とを含有する樹脂組成物から形成された繊維を有する不織布を用いたウエットティッシュにおける防菌・防黴性能を調べたところ、殆どの防菌・防黴剤の性能は、従来から使用されているウエットティッシュにおける場合よりも低下することが判明した。
【０００９】
そして、カチオン性樹脂とアニオン性樹脂とを含有する樹脂組成物から形成された繊維を有する不織布を用いたウエットティッシュにおいては、特定の防菌・防黴剤を特定の組み合わせで用いた場合に必要とする防菌・防黴性能が発現することがわかった。
【００１０】
【発明の目的】
本発明は、カチオン性樹脂とアニオン性樹脂とを含有する樹脂組成物から形成された繊維を有する不織布を用いたウエットティッシュにおいて有効な防菌・防黴剤を含有するウエットティッシュ用薬液を提供することを目的としている。
また、本発明は、カチオン性樹脂とアニオン性樹脂とを含有する樹脂組成物から形成された繊維を有する不織布と、有効な防菌・防黴剤を含有するウエットティッシュ用薬液とからなる包装ウエットティッシュを提供することを目的としている。
【００１１】
さらに本発明は、上記の特性を有するとともに、デオドラント効果を有し、局所の清拭に適したウエットティッシュを構成可能なウエットティッシュ用薬液およびデオドラント効果を有する包装ウエットティッシュを提供することを目的としている。
【００１２】
【発明の概要】
本発明は、２０〜９８重量％のビスコースレーヨン、ポリノジックレーヨン、キュプラおよび鹸化アセテートよりなる群から選ばれる少なくとも一種類の再生セルロースと１〜７９重量％のカチオン化セルロース、カチオン化デンプン、カチオン化グアーガム、カチオン化デキストリンおよびポリ塩化ジメチルメチレンピペリジニウムよりなる群から選ばれる少なくとも一種類のカチオン性樹脂と１〜７９重量％のポリアクリル酸塩、カルボキシメチルセルロース、カルボキシメチルデンプン、アルギン酸、キサンタンガムおよびポリメタクリル酸塩よりなる群から選ばれる少なくとも一種類のアニオン性樹脂を含有する樹脂組成物から形成された繊維から構成されている不織布からなる水解性不織布に含浸させてウエットティッシュを形成する薬液であって、該薬液が、安息香酸ナトリウムが０．１〜２．０重量％、乳酸ナトリウムが０．０２５〜２．５重量％、および、フェノキシエタノールが０．１〜５．０重量％の範囲の量で水性溶媒に溶解させて該薬液のｐＨ値を３．０〜５．０の範囲内に調整されてなるウエットティッシュ用薬液にある。
【００１３】
また、本願発明は、２０〜９８重量％のビスコースレーヨン、ポリノジックレーヨン、キュプラおよび鹸化アセテートよりなる群から選ばれる少なくとも一種類の再生セルロースと１〜７９重量％のカチオン化セルロース、カチオン化デンプン、カチオン化グアーガム、カチオン化デキストリンおよびポリ塩化ジメチルメチレンピペリジニウムよりなる群から選ばれる少なくとも一種類のカチオン性樹脂と１〜７９重量％のポリアクリル酸塩、カルボキシメチルセルロース、カルボキシメチルデンプン、アルギン酸、キサンタンガムおよびポリメタクリル酸塩よりなる群から選ばれる少なくとも一種類のアニオン性樹脂を含有する樹脂組成物から形成された繊維から構成されているアルカリ成分をかい離するバインダーを含まない不織布からなる水解性不織布と、該不織布に含浸させた薬液とからなり、該薬液が、安息香酸ナトリウムが０．１〜２．０重量％、乳酸ナトリウムが０．０２５〜２．５重量％、および、フェノキシエタノールが０．１〜５．０重量％の範囲の量で水性溶媒に溶解させて該薬液のｐH値を３．０〜５．０の範囲内に調整されてなり、該水解性不織布および薬液が、液体不透過性包装袋に収納されている包装ウエットティッシュにある。
【００１４】
さらに本発明のウエットティッシュ用薬液は、ウエットティッシュ用薬液が、水解性不織布に含浸させてウエットティッシュを形成する薬液であっ て、該薬液が、安息香酸ナトリウムと、乳酸ナトリウムと、フェノキシエタノールと、植物エキスとを水性媒体に溶解したデオドラント性を有する液剤であることを特徴としている。
【００１５】
またさらに、本発明のウエットティッシュ用薬液は、カチオン性樹脂とアニオン性樹脂とを含有する樹脂組成物から形成された繊維を有する水解性 の不織布であって、該水解性不織布に含浸させる薬液が、安息香酸ナトリウムと、乳酸ナトリウムと、フェノキシエタノールと、植物エキスとを水性媒体に溶解したデオドラント性を有する液剤であることを特徴としている。
【００１６】
本発明の包装ウエットティッシュは、上記のような薬液を不織布に含浸させて水不透過性の包装袋に収容してなる。
即ち、本発明の包装ウエット ティッシュは、不織布と、該不織布に含浸されたウエットティッシュ用薬液とが、水不透過性包装袋に収納された包装ウエットティッシュであって、該不織布が 水解性を有する繊維から形成されており、かつ該ウエットティッシュ用薬液が、安息香酸ナトリウムと、乳酸ナトリウムと、フェノキシエタノールとを水性媒体に溶解してなることを特徴としている。
【００１７】
また本発明の包装ウエットティッシュは、不織布と、該不織布に含浸されたウエットティッシュ用薬液とが、水不透過性包装袋に収納された包装ウ エットティッシュであって、該不織布が水解性を有する繊維から形成されており、かつ該ウエットティッシュ用薬液が、安息香酸ナトリウムと、乳酸ナトリウムと、フェノキシエタノールと、植物エキスとを水性媒体に溶解してなることを特徴としている。
【００１８】
さらに本発明の包装ウエットティッシュは、不織布と、該不織布に含浸されたウエットティッシュ用薬液とが、水不透過性包装袋に収納された包装 ウエットティッシュであって、該不織布がカチオン性樹脂とアニオン性樹脂とを含有する樹脂組成物から形成された繊維から形成されており、かつ該ウエット ティッシュ用薬液が、安息香酸ナトリウムと、乳酸ナトリウムと、フェノキシエタノールとを水性媒体に溶解してなることを特徴としている。
【００１９】
またさらに本発明の包装ウエットティッシュは、不織布と、該不織布に含浸されたウエットティッシュ用薬液とが、水不透過性包装袋に収納された 包装ウエットティッシュであって、該不織布がカチオン性樹脂とアニオン性樹脂とを含有する樹脂組成物から形成された繊維から形成されており、かつ該ウエッ トティッシュ用薬液が、安息香酸ナトリウムと、乳酸ナトリウムと、フェノキシエタノールと、植物エキスとを水性媒体に溶解してなることを特徴としている。
【００２０】
即ち、カチオン性樹脂とアニオン性樹脂とを含有する樹脂組成物から形成された繊維から形成されている不織布を用いたウエットティッシュの防菌・防黴剤としては、種々の防菌・防黴剤の中で、安息香酸ナトリウムが卓越した防菌・防黴性を示すことが判明したが、この安息香酸ナトリウムのみでは、実用的な防菌・防黴性を満たすには至らない。そして、安息香酸ナトリウムに加えて、乳酸ナトリウムおよびフェノキシエタノールを併用することにより、カチオン性樹脂とアニオン性樹脂とを含有する樹脂組成物から形成された繊維から形成されている不織布を用いたウエットティッシュに実用的な防菌・防黴性を付与することができる。
【００２１】
また、上記の薬液に植物エキス、特にタンニン、タンニン酸あるいはこれらの機能的誘導体を含有する植物エキスを配合することにより、ウエットティッシュにデオドラント効果を付与することができ、こうした薬液を使用することにより、排泄行為の後の局部の清拭などに特に有用性が高いウエットティッシュを製造することができる。
【００２２】
【発明の実施の形態】
以下、本発明のウエットティッシュ用薬液およびこの薬液を用いた包装ウエットティッシュについて具体的に説明する。
本発明のウエットティッシュ用薬液は、イオン的な解離状態によって水解性を有する不織布に含有されるものであり、例えばカチオン性樹脂とアニオン性樹脂とを含有する樹脂組成物から形成された繊維を有する不織布を用いたウエットティッシュ用の薬液である。
【００２３】
本発明のウエットティッシュ用薬液は、水解性不織布を用いたウエットティッシュを形成する薬液である。本発明において、水解性不織布は、カチオン性樹脂とアニオン性樹脂とを含有する樹脂組成物から形成された繊維から構成されている不織布を有する水解性の不織布からなることが好ましく、本発明のウエットティッシュ用薬液は、こうした水解性不織布からなるウエットティッシュに好適に使用することができる。この樹脂組成物は、通常は基材樹脂を含有している。本発明において、基材樹脂としては、例えば、ポリオレフィン、ポリエステル、ポリアミド、セルロース、再生セルロースなどを挙げることができる。これらの樹脂は単独であるいは組み合わせて使用することができる。この基材樹脂は、繊維を形成する樹脂組成物１００重量％中に通常は１〜９９重量％、好ましくは１０〜９５重量％の量で含有されている。本発明では基材樹脂として、再生セルロースを使用することが特に好ましい。
【００２４】
従って、本発明において好適な不織布は、再生セルロース、カチオン性樹脂およびアニオン性樹脂を含有する樹脂組成物から形成された繊維から構成されている。以下この好適な不織布について詳述する。
本発明の薬液が使用されるウエットティッシュである不織布を構成する繊維は、基材樹脂としての再生セルロースと、後述する水溶性高分子とを含有してなる樹脂組成物から得られる。ここで、「水溶性高分子」とは、水と接触することで膨潤あるいは分解する性質を有する物質をいう。
【００２５】
このような水溶性高分子を再生セルロースとともに含有させた繊維を用いて不織布を形成することにより、この不織布に、従来用いられていた特殊なバインダーを用いなくても、水中で攪拌されるなどの刺激を受けたときに水解性が発現する「刺激応答水解性」を発現させることができる。
この刺激応答水解性を有する不織布には、この不織布を形成する繊維の形成樹脂成分の合計を１００重量％としたとき、上記再生セルロースが、通常は２０〜９８重量％、好ましくは２０〜９５重量％、特に好ましくは３０〜８５重量％、より好ましくは５０〜８０重量％、さらに好ましくは７０〜９０重量％の量で含有するとともに、上記水溶性高分子を通常は２〜８０重量％、好ましくは５〜８０重量％、特に好ましくは１５〜７０重量％、より好ましくは２０〜５０重量％、さらに好ましくは１０〜３０重量％の量で含有されている。
【００２６】
特に、上記水溶性高分子においては、カチオン性樹脂は、通常は１〜７９重量％、好ましくは２〜６８重量％、特に好ましくは２〜５０重量％含有されると共に、アニオン性樹脂が１〜７９重量％、好ましくは２〜６８重量％、特に好ましくは１３〜４８重量％含有されている。
再生セルロースおよび水溶性高分子（カチオン性樹脂およびアニオン性樹脂）の量が上記範囲内にある不織布は、少量の水を含有した場合には充分な強度を有すると共に、多量の水と接触することにより水解する。すなわち、引っ張り強度を保持することと、水解性が発現することとのバランスが良好である。
【００２７】
また、カチオン性樹脂およびアニオン性樹脂を上記の範囲内の量で含有することにより、不織布から水溶性高分子の脱落が防止できることから繊維間に発生する膠着が少なくなる効果があり、従来と同じ繊維・不織布製造設備を用いて不織布を製造することができる点で工業的にも有用である。さらに歩留まりが向上し、製造コストの点でもメリットがあることは言及するまでもない。
【００２８】
なお、この繊維を形成する樹脂組成物には、本発明の目的、効果を逸脱しない範囲で、基材樹脂（好ましくは再生セルロース）および水溶性高分子以外の第三成分を含有していてもよく、その含有量は８０重量％以下、好ましくは４０重量％以下、特に好ましくは１０重量％以下である。
上記不織布は、例えば以下の方法で得られた繊維を用いて製造することができる。
【００２９】
すなわち、パルプを水酸化ナトリウム溶液に浸漬してアルカリセルロースに変化させ、このアルカリセルロースを老成させた後、このアルカリセルロースを含む溶液に二硫化炭素を加えてアルカリセルロースを硫化し、次いで硫化されたアルカリセルロースをセルロースキサントゲン酸ナトリウムにして溶解して紡糸原液を調製する。次いで、この紡糸原液にカチオン化セルロースの水溶液およびポリアクリル酸ナトリウムの水溶液を加え混合する。こうして形成された混合液を紡糸孔から凝固浴中に圧出し紡糸することにより水解性を有する不織布を形成するための繊維を調整することができる。
【００３０】
このような繊維の長さを、通常２ｍｍ以上、好ましくは２０〜１００ｍｍ、さらに好ましくは３０〜８０ｍｍに調整する。
本発明で使用する水解性の不織布は、例えば下記のように上記繊維を用いて製造することができる。
上記繊維を不織布に加工する方法としては、本発明の水解性を逸脱しない範囲で繊維を交絡もしくは接着すれば良く、湿式法、湿式スパンレース法、乾式スパンレース法、ニードルパンチ法、ケミカルボンド法、サーマルボンド法の何れも好適に挙げることができる。しかしながら、化学的なバインダーを用いたのでは、直接皮膚に接するウエットティッシュとしては衛生上問題を生ずることがあり、また、水の量によって不織布の水解性能を調整し、強度と水解性とをバランスさせることは必ずしも容易ではない。本発明において最も好ましい不織布加工法は乾式スパンレース法およびニードルパンチ法である。
【００３１】
ここで、上記再生セルロースとしては、ビスコースレーヨン、ポリノジックレーヨン、キュプラ、鹸化アセテートなどが挙げられ、中でもビスコースレーヨン、ポリノジックレーヨン、キュプラが、衛生性、安全性の観点から好ましい。これらの再生セルロースは単独であるいは組み合わせて使用することができる。
上記カチオン性樹脂としては、カチオン化セルロース、カチオン化デンプン、カチオン化グアーガム、カチオン化デキストリン、ポリ塩化ジメチルメチレンピペリジニウムなどが挙げられ、中でもカチオン化セルロース、カチオン化デンプンが、衛生性、安全性、水解性の観点から好ましい。これらのカチオン性樹脂は単独であるいは組み合わせて使用することができる。
【００３２】
上記アニオン性樹脂としては、ポリアクリル酸塩、カルボキシメチルセルロース、カルボキシメチルデンプン、ポリアルギン酸、キサンタンガムまたはポリメタクリル酸塩などが挙げられ、中でもポリアクリル酸塩、カルボキシメチルセルロース、カルボキシメチルデンプンが、衛生性、安全性、水解性の観点から好ましい。これらのアニオン性樹脂は単独であるいは組み合わせて使用することができる。
【００３３】
上記第三成分としては、パルプ、レーヨン、ポリプロピレン熱融着繊維、コットン、麻（ラミー）、ポリエステル繊維などが挙げられる。
これらの繊維は、ウェブを形成して使用することが好ましい。本発明では、上記のように再生セルロースとカチオン性樹脂とアニオン性樹脂とを含有する樹脂組成物から繊維（水解性繊維）を製造し、この繊維を用いて製造された不織布を使用することが好ましいが、さらに、この水解性繊維に非水解性短繊維を加えて不織布を製造することができる。
【００３４】
すなわち、本発明でウエットティッシュを形成する不織布としては、
再生セルロースとカチオン性樹脂とアニオン性樹脂とを含有する樹脂組成物から形成された繊維、
および
非水解性短繊維から構成されている不織布を使用することができる。
【００３５】
ここで使用する非水解性短繊維は、それ自体では水に溶解あるいは安定に分散する特性は有していない樹脂の短繊維であり、このような短繊維の例としては、パルプ繊維、再生セルロース繊維（例；ビスコースレーヨン、ポリノジックレーヨン、キュプラ、鹸化アセテート）、ポリアミド繊維、ポリエステル繊維、ポリアクリル繊維、ポリウレタン繊維、ポリオレフィン繊維などの合成繊維、天然繊維および再生繊維を挙げることができる。上記のような非水解性短繊維の中でも、再生セルロース繊維を使用することが好ましい。このような再生セルロース繊維を使用することにより、得られる不織布の風合いあるいは肌触りが著しく改善されると共に、吸水性も高くなる。ここで使用する非水解性短繊維は不織布に有する水解性を損なわないように非水解性短繊維が複雑な交絡を形成せず、不織布の水解性が損なわれない程度の繊維長を有していることが好ましい。このような非水解性短繊維の平均繊維長は、通常は、８０mm未満、好ましくは４０mm未満、さらに好ましくは２０mm未満である。こうした非水解性短繊維を水解性繊維に混合して不織布を製造した不織布において、この不織布が良好な水解性を維持するためには、非水解性短繊維の平均繊維長が短いことが好ましい。また、この非水解性短繊維の平均繊維長の下限値は、不織布を漉く際に非水解性短繊維が流出しないような長さであればよく、不織布の製造方法により異なるが、通常は下限値は０.１mm、好ましくは０.５mm程度である。このような非水解性繊維は、水解性繊維と同様にウェブを形成していることが好ましい。
【００３６】
このような本発明の特に好ましい不織布において、水解性繊維と非水解性繊維とは、この不織布の水解性を損なわないような量比で使用することが好ましい。
水解性繊維と非水解性繊維とは通常は１：９９〜９９：１の範囲内の量、好ましくは３０：７０〜７０：３０の範囲内の量で混合して使用される。すなわち、水解性繊維と非水解性繊維とを上記の量で混合して、上述の湿式法、湿式スパンレース法、乾式スパンレース法、ニードルパンチ法、ケミカルボンド法、サーマルボンド法、好ましくは乾式スパンレース法あるいはニードルパンチ法などの公知の方法を利用することにより不織布を製造することができる。
【００３７】
このような不織布は、非水解性繊維を含有しているにも拘わらず水解性を有している。
このようにして得られた不織布の目付は、通常は２０〜６０g/ｍ2の範囲内にあり、また、厚さは、通常は０．１〜０．６mmの範囲内にある。また、この不織布は、湿潤時において充分な強度を保持し、過剰の水中で撹拌したときに水解性を示す。特に本発明の不織布は、多量の水との接触により水解性を示す。さらに、この不織布は、従来において用いられる含水時に一価のアルカリ成分を解離させるバインダーを用いずに不織布を形成しているため、直接肌に密着させても肌あれなどを引き起こしにくい。従って、この不織布は、ウエットティッシュとして乳幼児あるいは老人など比較的皮膚の抵抗力の弱い人が使用しても、肌荒れなどをおこすことがない。しかも、この不織布は、風合いがよく、使用に際してざらつき感がなく、絹のように柔らかな肌触りを有している。
【００３８】
このような不織布を用いたウエットティッシュに例えば塩化ベンザルコニウム、パラペン、ＣＰＣなどのような従来からウエットティッシュに配合されている防菌・防黴剤を配合しても黴あるいは雑菌に対する防菌防黴力が弱く、改善の余地があった。本発明のウエットティッシュを形成する紙葉（不織布）と、従来から使用されているウエットティッシュを形成する紙葉とを比較すると、従来のウエットティッシュにはカチオン性基あるいはアニオン性基のような解離性の極性基は存在していないのに対して、本発明のウエットティッシュを形成する紙葉はこうした解離性の極性基を有しており、おそらくこれらの基が従来からウエットティッシュに使用されている防菌・防黴剤の効果を何らかの形で阻害しているものと考えられる。しかしながら、種々検討してみたが、その防菌・防黴効果の阻害メカニズムは全く不明であり、従って、不織布の構成から有効な防菌・防黴剤を予測することはできなかった。
【００３９】
そこで、ウエットティッシュに配合可能な様々な化合物を用いて防菌・防黴効果を調べたところ、種々の化合物の中で、安息香酸ナトリウムが他の防菌・防黴剤と比較して、このカチオン性基およびアニオン性基を有する不織布において、卓越した防菌・防黴効果があることがわかった。しかしながら、この安息香酸ナトリウムだけでは、実用に耐え得るほどの防菌防黴効果は得られない。
【００４０】
このような安息香酸ナトリウムの防菌・防黴効果をさらに向上させるべく、種々検討したところ、この安息香酸ナトリウムと、乳酸ナトリウムおよびフェノキシエタノールとを組み合わせることにより、カチオン性基およびアニオン性基を有する不織布を用いたウエットティッシュに良好な防菌・防黴性能 を付与することができた。
【００４１】
即ち、本発明のカチオン性基およびアニオン性基を有する不織布を用いたウエットティッシュに使用する薬剤は、安息香酸ナトリウムと、乳酸ナトリウムおよびフェノキシエタノールとを含有する水性液体である。本発明のウエットティッシュ用薬液には、安息香酸ナトリウムに加えて、乳酸ナトリウムおよびフェノキシエタノールが含有されていることが必要であり、両者が含有されていることにより良好な防菌・防黴性能が発現する。
【００４２】
本発明のウエットティッシュ用薬液１００重量部中に、安息香酸ナトリウムは、０．１〜２．０重量％、好ましくは、０．３〜１重量％、特に好ましくは０．４〜０．８重量％の量で含有されており、乳酸ナトリウムは０．２５〜２．５重量％（５０％液として０．０５〜５．０重量％）、好ましくは、０．０５〜０．５重量％（５０％液として０．１〜１重量％）、特に好ましくは０．１〜0.2重量％（５０％液として０．２〜０．４重量％）の量で含有されており、フェノキシエタノールは０．１〜５．０重量％、好ましくは、０．３〜１重量％、特に好ましくは０．５〜０．７重量％の量で含有されている。上記のような量比でこれらの成分を配合することにより、他の防菌・防黴剤では達成されなかったカチオン性樹脂とアニオン性樹脂とを含有する樹脂組成物から形成された繊維を有する不織布を用いたウエットティッシュにおいて実用的な使用に耐え得る防菌・防黴性能を付与することができる。なお、ウエットティッシュ用薬液１００重量部中における安息香酸ナトリウムと乳酸ナトリウムとフェノキシエタノールとの合計量は、通常は０．５５〜１２．０重量％、好ましくは０.５２５〜９．５重量％、特に好ましくは好ましくは０．７〜３重量％、さらに好ましくは０．６５〜２．５重量％、特に好ましくは１．１〜１．９重量％、最も好ましくは１．０〜１．７重量％である。薬液中における上記３成分の量が過度に多いとこれらの成分が析出することがあり、また、上記範囲を逸脱して少ないと充分な防菌・防黴性能が得られない。
【００４３】
また、この上記の成分によって達成される防菌・防黴性能は、薬液のｐＨ値によって影響を受けることがある。即ち、本発明のウエットティッシュ用薬液のｐＨ値は、３．０〜５．０の範囲内にあることが好ましく、さらにこのｐＨ値が４．１〜４．８の範囲にあることが特に好ましい。このウエットティッシュ用薬液のｐＨ値が上記範囲を逸脱して高いと防菌・防黴性能が低下することがある。また、ｐＨ値が低すぎると液の安定性が低下することがある。
【００４４】
本発明のウエットティッシュ用薬液には、さらに植物エキスを配合することができる。本発明で使用することができる植物エキスの例としては、ブドウ葉エキス、アセンヤクエキス、アマチャエキス、アルテアエキス、アルニカエキス、アロエ液汁末、アロエエキス、イチョウエキス、イラクサエキス、カワラヨモギエキス、ウイキョウエキス、ウコンエキス、ゼニアオイエキス、エイジツエキス、ヒキオコシエキス、オウゴンエキス、オウバクエキス、オトギリソウエキス、オランダカラシエキス、海藻エキス、ヨモギエキス、カキ抽出液、カモミラエキス、カンゾウ抽出液、キキョウ抽出液、キクカ抽出液、キナエキス、キューカンバーエキス、キョウニンエキス、スイカズラエキス、クララエキス、クマザサ抽出液、ケイヒ抽出液、ゲンチアナエキス、ゲンノショウコエキス、酵 母エキス、ゴボウエキス、コンフリーエキス、サフラン抽出液、サボンソウエキス、セージエキス、サンザシエキス、クチナシエキス、サンショウエキス、シイタケエキス、ジオウエキス、シソエキス、シャクヤクエキス、ドクダミエキス、ワレモコウエキス、ショウブ根エキス、ショテイシ抽出液、シラカバエキス、スギナエキス、セイヨウキズタエキス、セイヨウネズエキス、セイヨウノコギリソウエキス、セイヨウヤドリギ抽出液、センキュウエキ ス、センブリエキス、クワエキス、タイソウエキス、タイムエキス、チャ抽出液、チョウジエキス、チンピエキス、トウキンセンカエキス、トウキエキス、トウ ニンエキス、トウヒエキス、トマトエキス、ニクズク抽出液、ニワトコ抽出液、ニンジンエキス、スイカズラエキス、ノバラエキス、パセリエキス、ハマメリス抽出液、ビャクシ抽出液、ビワ葉エキス、フキタンポポエキス、ブクリョウエキス、プルーンエキス、ヘチマエキス、ベニバナエキス、セイヨウハッカエキス、ホップエキス、マロニエエキス、ムクロジエキス、メリッサエキス、モモ葉エキス、ヤグルマギクエキス、ユキノシタエキス、ユズ抽出液、ユリエキス、ヨクイ ニンエキス、ラベンダーエキス、リンゴエキス、レタスエキス、レモンエキス、レイシエキス、ローズマリーエキス、ローズ水およびローレル抽出液を挙げることができる。これらの植物エキスは単独であるいは組み合わせて使用することができる。
【００４５】
さらに本発明で使用する植物エキスはタンニン、タンニン酸あるいはこれらの機能的誘導体を含むものであることが好ましい。ここで機能的誘導体とは、タンニンあるいはタンニン酸と類似した化学構造を有するとともに、ウエットティッシュ用薬液に配合した場合に、タンニンあるいはタンニン酸と同等の作用効果を示すタンニンあるいはタンニン酸の類似化合物である。
【００４６】
ウエットティッシュ用薬液に上記タンニン、タンニン酸を配合することにより、本発明のウエットティッシュにデオドラント作用を付与することができる。近時、ウィシュレットTMの商品名で市販されているオシリ洗浄装置の普及に伴って、排泄行為の後に局部を水分を布あるいは不織布などで清拭する習慣が定着しつつある。このような用途に使用されるウエットティッシュは、デオドラント効果を有していることが好ましい。また、こうした排泄後の清拭に限らず、生理臭、中高年の体臭、腋臭、病人特有の異臭などの体臭を忌避する風潮が高まっており、こうした体臭の除去にデオドラント効果を有するウエットティッシュが極めて高い有用性を示す。
【００４７】
そして、このようなタンニン、タンニン酸あるいはこれらの機能的誘導体を含有し、得られるウエットティッシュに良好なデオドラント効果を発現させるのに好適な植物エキスの例としては、上記植物エキスの中でも、、ブドウ葉エキス、アセンヤクエキス、イラクサエキス、カワラヨモギエキス、ゼニアオイエキス、エイジツエキス、ヒキオコシエキス、オトギリソウエキス、ヨモギエキス、カキ抽出液、カモミラエキス、スイカズラエキス、ゲンノショウコエキス、コンフリーエキス、セージエキス、シャクヤクエキス、ワレモコウエキス、シラカバエキス、セイヨウキズタエキス、セイヨウネズエキス、チャ抽出液、トウキンセンカエキス、ニワトコ抽出液、スイカズラエキス、ノバラエキス、ビワ葉エキス、セイヨウハッカエキス、ホップエキス、マロニエエキス、メリッサエキス、モモ葉エキス、ユキノシタエキスおよびローズマリーエキスが好ましい。これらの植物エキスは単独であるいは組み合わせて使用することができる。これらの植物エキスの中でも特にチャ抽出タンニンおよび／またはカキ抽出タンニンを含有する植物エキスが好適である。
【００４８】
このような植物エキスは、上記薬液１００重量部中に、通常は０．０１〜５重量％、好ましくは０．１〜１重量％の量で含有されている。
上記のような植物エキスは、通常は、抽出溶媒に有効成分が溶解もしくは分散された状態で供給される。
上記の植物エキスを調整する際には、抽出溶媒が使用される。このような抽出溶媒として最も好ましい抽出溶媒は水であるが、水だけでは有効成分を効率的に抽出できない場合があり、こうした場合には、メタノール、エタノール、プロパノール、ブタノール等の炭素数１〜８、好ましくは１〜５程度の低級アルコール、エチレングリコール、プロピレングリコール、ブチレングリコールなどの多価アルコールを使用することができる。ただし、低級アルコールあるいは多価アルコールには皮膚に対して刺激性を有するものがあり、水以外の抽出溶媒はできるだけ少ないことが好ましい。特に粘膜を清拭することもあるデリケートティッシュにおいては、上記のような刺激性のある抽出溶媒は、好適には含有されていないことが好ましく、本発明の薬剤がこうした抽出溶媒を含む場合、薬剤１００重量部中における上記低級アルコール系あるいは多価アルコール系の抽出液の含有量は、通常は０を超え２．５重量％以下、好ましくは０．００５〜１重量％以下、特に好ましくは０．００５〜０．５重量％程度である。
【００４９】
そして、本発明のウエットティッシュ用薬液では、アルコール系の溶媒を実質的に含まないようにすることが好ましく、植物エキスを使用する場合には、使用する植物エキスの抽出溶媒の主成分が水であり、例えば必要により（１０重量％）以下の量の他の溶媒を含有することもある植物エキスを使用することが好ましく、本発明のウエットティッシュが、低級アルコールを実質的に含まないノンアルコール系の薬液を用いて調製されたものであることが好ましい。
【００５０】
本発明のウエットティッシュ用薬液は、上記のように安息香酸ナトリウムと、乳酸ナトリウムおよび／またはフェノキシエタノールとが水性媒体に溶解されてなる。また、本発明のウエットティッシュ用薬液は、上記のように安息香酸ナトリウムと、乳酸ナトリウムおよび／またはフェノキシエタノール、植物エキスとが水性媒体に溶解されてなる。ここで水性媒体としては、水、水-アルコール（炭素数１〜５のアルコールが好ましい）を挙げることができる。さらに、本発明のウエットティッシュ用薬液には、本発明の薬液の特性を損なわない範囲内で他の成分を含有していても良い。このような他の成分の例としては、界面活性剤、保湿剤、ｐＨ調整剤、キレート剤、抗生物質、香料、染料、可溶化剤、溶剤などを挙げることができる。ここで配合することができる界面活性剤としては、カチオン系界面活性剤、アニオン系界面活性剤、ノニオン系界面活性剤、両性界面活性剤を挙げることができる。また、保湿剤の例としては、エチレングリコール、プロピレングリコール、1,2-ペンタンジオール、グリセリンなどの多価アルコール、1,3-ブチレングリコール、3-メチル-1,3-ブタンジオールを挙げることができる。また、ｐＨ調整剤としては、クエン酸とクエン酸ナトリウムとの組み合わせ、琥珀酸と琥珀酸ナトリウムとの組み合わせなどを挙げることができる。さらに、キレート剤の例としては、エチレンジアミン4酢酸およびこの塩などを挙げることができる。さらに、本発明の薬液には、ウエットティッシュ用の薬液に通常配合される成分を添加することができる。また、さらに、本発明の薬液には、防菌・防黴剤として上記のように安息香酸ナトリウムと、乳酸ナトリウムおよび／またはフェノキシエタノールが配合されているが、この防菌・防黴剤の特性を損なわない範囲内で他の防菌・防黴剤が配合されていてもよい。
【００５１】
上記薬液を、カチオン性樹脂とアニオン性樹脂とを含有する樹脂組成物から形成された繊維を有する不織布（紙葉）の乾燥重量に対して通常は１〜５倍、好ましくは２〜３倍量添加して不織布に含有させることによりウエットティッシュすることができる。
すなわち、上記不織布は少量の水と接触した際には、不織布としての形態が損なわれにくく、大量の水と接触することにより容易に崩壊するという特性を有しており、この特性を利用して、上記不織布に上記液剤を含浸させることによりウエットティッシュとすることができる。
【００５２】
このようなウエットティッシュは、水不透過性の包装袋に封入して供給することができる。そして、このウエットティッシュ（上記薬液と不織布とからなる）は、水不透過性包装袋に密封収納することが好ましい。
このような水不透過性包装袋に密封収納された本発明の包装ウエットティッシュは、携帯用のウエットティッシュとして使用することもできるし、好適には据え置き型ウエットティッシュ供給キットの詰め替え用ウエットティッシュとして使用することもできるし、また、包装ウエットティッシュの取出口付近に包装袋よりも硬い材質を有する素材で形成された蓋付取出口のみを配置した取出口付包装ウエットティッシュとしても使用することができる。
【００５３】
この据え置き型ウエットティッシュ供給キットは、自己の形態を保持することができる容器と、包装袋に封入され、液剤を含浸する不織布からなる包装ウエットティッシュとからなるものであることが好ましい。
この据え置き型ウエットティッシュ供給キットについてさらに詳細に記載すると、この据え置き型ウエットティッシュ供給キットは、
（ｉ）容器はウエットティッシュの包装袋を収容できる容量を有する収容部、該収容部への包装袋の詰め替え時に開閉される蓋部、ウエットティッシュを１枚ずつ容器外部に取り出す開閉自在な開口部、および前記収容部と開口部との間に設けられ、ウエットティッシュ取り出しの抵抗となる取出口を設けた抵抗隔壁を有し、
（ii）包装ウエットティッシュは、収納されたウエットティッシュの各葉が互いに重なりを有して折り畳まれ、ウエットティッシュペーパーの取出口を有する。
【００５４】
また、このキットは前記（ii）の包装ウエットティッシュに代えて、収納されたウエットティッシュの各葉がミシン目を介してつながっており、かつウエットティッシュペーパーの取出口を有する包装ウエットティッシュであってもよい。
このウエットティッシュ供給キットは、ウエットティッシュの包装袋の取出口に貼着されたシール部材を剥離して除去することにより開口し、そのまま容器に収容する。ウエットティッシュは、密閉された容器の開口部から広がった状態で順次１葉ずつ必要に応じて連続的に取り出すことができる。
【００５５】
図１は、このキットの一具体例を示す説明図である。図１（ａ）はウエットティッシュを用いたキットの容器の蓋部、（ｂ）は包装ウエットティッシュ、（ｃ）は容器本体の説明図である。本発明の包装ウエットティッシュを用いたキットは図１に示すように、内部を密閉する容器１と、上記不織布に液剤を含浸させて水不透過性の包装袋に封入された包装ウエットティッシュ２からなる。
【００５６】
（ｉ）容器
このキットを形成する容器１は全体がほぼ直方体をなし、容器自身で自己の形状を保持できる材料からなる。このような材料としては、ポリエチレン、ポリプロピレン等の合成樹脂など比較的硬質で若干の柔軟性を備えた成形用材料を用いるのが好ましい。この容器に用いられる材料としては、前記合成樹脂のほか、金属板、あるいは紙器を用いてもよい。容器は自己の形状を保持できるものであればよく、柔軟なシートなどの材料を内部、外部より補強して形状を保持できるようにしたものであってもよい。
【００５７】
この容器１は、容器本体３０およびこれに緊密に取り付けることのできる蓋部１０からなり、容器本体３０は、上端部に前記蓋部１０を被せる段を設けた受部３１が形成されると共に、包装ウエットティッシュ２の収まる収容部３３を有する。
前記蓋部１０は、ほぼ中央にウエットティッシュ取り出し用の矩形あるいは楕円形などの任意の形態の開口部１１を有する。この開口部には、一端にて回転自在な開閉蓋１２が取り付けられる。この開閉蓋１２は開口部１１から液体または気体が漏れにくいよう緊密に設けられる。
【００５８】
また、蓋部１０の内側の開口部１１に対応する位置には、Ｕ字状突起１３を有する取出口１７を形成した抵抗隔壁１４が設けられ、つぎに取り出されるべきウエットティッシュが１枚保持される。抵抗隔壁１４と蓋部１０上面の開口部１１との間には、空間１５が形成され、抵抗隔壁１４に保持されたウエットティッシュの先端部が滞留する。なお、抵抗隔壁はウエットティッシュの取り出しに対して抵抗となるように設けられ、この具体例ではＵ字状突起１３の弾性に基づく抵抗により、１枚のウエットティッシュに重なって出てきた次のウエットティッシュが保持される。
【００５９】
（ii）包装ウエットティッシュ
包装ウエットティッシュ２に充填された不織布は、上記不織布に液剤を含浸させたものである。この不織布は、上述のように少量の水分によっては崩壊することがなく、他方、多量の水と接触し、好ましくは攪拌、水流などの外部応力の付与により崩壊するという特性を有している。このような特性は、従来の乾燥状態で使用されるティッシュペーパー、乾燥状態で使用されるポケットティッシュペーパーなどにはない特性である。すなわち、従来の乾燥状態で使用されるティッシュペーパーなどは湿潤するとその引っ張り強度が著しく低下すると共に、液剤と接触すると数時間の内に崩壊し、各葉を分離しながら引き出すことはできない。
【００６０】
包装袋２２に封入されたウエットティッシュは、不織布の各葉が互いに重なりを有して折り畳まれ、１枚のティッシュペーパーを抵抗隔壁を通して容器１の開口部１１より取り出すと、続く紙葉が抵抗隔壁に保持され、つぎの使用に備える。このように連続的にウエットティッシュを取り出すには、ドライタイプのティッシュペーパーと異なり１枚目と２枚目の重なりをティッシュの面積の１／２以下、好ましくは１／４以下、さらに好ましくは１／１０程度以下とする。好ましい折り畳みの具体例としては、図２のような折り畳み方が挙げられる。
【００６１】
しかしながら、重なった各葉間の摩擦力を種々の手段により調整して小さくし、ドライティッシュの場合と同様、重なりの面積を１／２程度とすることもできる。
例えば、不織布にクレープ加工、エンボス加工などを施して凹凸を設け、ウエットティッシュ間の接触面積を減じてもよい。さらに、ウエットティッシュの水分率を低く設定することによっても摩擦力を小さくすることができる。
【００６２】
さらに、図３（ａ）および（ｂ）に示すように、包装袋に封入されたウエットティッシュ２１の各葉がミシン目を介してつながっていてもよい。このウエットティッシュでは、１枚分のティッシュペーパーを抵抗隔壁を通して容器１の開口部１１より取り出すと、続く紙葉は抵抗隔壁に保持されてミシン目２７でちぎれ、つぎの使用に備える。このようにミシン目により連続したウエットティッシュを順次、１枚ずつ取り出すには、図３（ｂ）に示すようにミシン目２７のカット部分２８の長さをツナギ部分２９の長さよりも長くするのが好ましい。ウエットティッシュに用いられる材料は、比較的引張強度が大きいため、各葉の切り放しに要する力を調整する。例えば、カット部分２８の長さに対してツナギ部分２９の長さを１／５以下、好ましくは１／２０以下、さらに好ましくは１／５０程度とする。
【００６３】
ウエットティッシュの包装袋２２は、ウエットティッシュに含浸された液体を透過することなく、また雑菌の侵入を防ぐよう、従来公知のプラスチックフィルム、ラミネートフィルムなどの柔軟な包装材料で形成するのが好ましい。包装袋２２の上面には、使用にあたり容易に開封できるようミシン目、ハーフカットなど適宜の方法により予め切り込み２３を入れた取出口２４が設けられ、裏面に粘着剤（感圧接着剤）２５を塗布したシール部材２６がこの取出口２４を覆って張り付けられ密着固定される。なお、このシール部材２６に塗布される貼着剤は、ウエットティッシュ供給キットが据え置き型であり、容器に収容される際に剥離撤去されることから、この粘着剤は再付着性（一度剥離した後、再び接着することができる接着剤の性質）を有している必要はない。
【００６４】
使用時、このシール部材２６を引きはがすと、閉ループの切り込みの入った取出口２４の部分のフィルム断片がシール部材２６に粘着したまま取り外されて包装袋の開口が形成される。図４および図５に示すように、この包装袋を前記の容器本体３０に収納し、蓋部１０を被せた後、１枚目のウエットティッシュ２１を抵抗隔壁１４の取出口１７に通して使用に供する。
【００６５】
なお、抵抗隔壁の具体的な形状としては、図１に示す形状のほか、図７、図１０（ａ）〜（ｄ）に示すような形状など様々なものが挙げられるが、材質、材料厚さ、形状などの選択により適度の柔軟性と剛性を有する抵抗突起が張出した形状のものが好ましい。
これら抵抗隔壁は、図７および図９に示すように、取出口の最大長さ（Ａ）がここを通過するティッシュペーパーの紙幅に対して通常は１５〜９９％、好ましくは２０から７５％である。最大長さがこれより短いとティッシュペーパーを滑らかに取り出すことができない。また、これより長いとティッシュペーパーの保持が充分でなく、容器の設計にも不都合であり、さらに異物混入の可能性が高い。
【００６６】
一方、取出口の最小幅（Ｂ）は通常は１ｍｍ〜５ｃｍ、好ましくは1ｍｍ〜４．５cm、特に好ましくは１mm〜３cm、最も好ましくは1mm〜１０mmの範囲内にある。最小幅がこれより狭いとティッシュペーパーの取り出しが困難である。また、最小幅がこれより広いとティッシュペーパーの保持が困難となる。
さらに、このスリットは、直線的であってもよく、非直線的であってもよい。また、本発明におけるスリットの概念は、所謂狭い間隙を有するという本来のスリットの意味のほか、円形、正方形、長方形、楕円形、長方形あるいは正方形の両端部が面取りされて変形された概略正方形、概略長方形など種々の形状にすることができる。また、スリットの最も狭い部分の幅／スリットの最も長い部分長さとの比を通常は１／３以下、好ましくは１／５以下、特に好ましくは１／５〜１／４０の範囲、さらに好ましくは１／４〜１／１０の範囲内にすることが好ましい。
【００６７】
さらに、抵抗隔壁の取出口の最大長さ方向の中央付近の膨張部１８の幅が、前記の取出口１７の最大幅であるのが好ましい。このように取出口の中央付近に膨張部１８を設けることにより、ティッシュペーパーよりも幅の狭い取出口１７（幅Ａ）に寄せ集められたティッシュペーパーの逃げが可能となり、適度の保持力を有しつつ、滑らかにティッシュペーパーの取り出しが可能となる。
【００６８】
図６はこのキットの容器の他の具体例を示す斜視図である。この具体例では、蓋部１０は容器本体３０に対して回転して開閉可能に取り付けられる。また、抵抗隔壁１４は中蓋１６に設けられ、該中蓋１６を本体内側に設けた中蓋受部３２に緊密に取り付ける。さらに、キットの容器において、包装袋の詰め替えを行う蓋部は、図１、図６のような容器の前面でなく底部、側部に設けてもよい。
【００６９】
図８は、ウエットティッシュの包装袋の取出口の他の具体例を示す斜視図である。この具体例では、横長の「Ｈ」字型に切り込み２３を形成した取出口が設けられる。この形状の取出口は切り開かれたシートの断片のために、開口面積が小さくなり、空気中の菌による二次汚染や液体成分の揮散が防止される。
上記のような据え置き型ウエットティッシュ供給キットは、ウエットティッシュの補充、詰め替えが極めて容易でかつ衛生的である。また、据え置いたまま片手でもウエットティッシュを１枚ずつ使用しやすい、広がった状態で必要なだけ迅速に取り出すことができる。
【００７０】
また、本発明のウエットティッシュ用薬液が含浸した詰め替え用ウエットティッシュを収容する据え置き型ウエットティッシュ供給キットは、図１に示すように容器本体３０およびこれに緊密に取り付けることのできる蓋部１０からなり、容器本体３０は、上端部に前記蓋部１０を被せる段を設けた受部３１が形成されると共に、包装ウエットティッシュ２の収まる収容部３３を有するタイプのほかに、図１１に示すように、平坦な基台部５１と下端部５２で基台部５１の縁部に嵌合して詰め替え用包装ウエットティッシュ５４を収容するドーム型の上蓋材５６とから形成することができる。上蓋材５６の上面部５８には、ばねのような弾性部材６０によって係合部６２における開閉蓋６４と上蓋材５６との係合が解除されると、開閉蓋６４の一側端部で上蓋材５６と回動自在に係止された回動軸６８を回転軸として、開閉蓋６４が回転して、引出されるように抵抗隔壁７０に挟持されたウエットティッシュ７２が引き出し可能にされている。このように開閉蓋６４を弾性部材６０によって、係合部６２における係止が開示されると、開閉蓋６４が自動的に開くようにすることにより、ウエットティッシュを片手で取り出すことができるので、乳幼児のオムツの取り替えの際のお尻拭き、介護時のように、片手がふさがっているときに非常に便利である。この抵抗隔壁７０は、挟持されたウエットティッシュ７２を保持し、包装ウエットティッシュ５４中の水分が蒸散しないような種々の形態にすることができる。例えば、図７、図９、図１０に示すような形態にすることができるほか、図１１に示すように「く」の字型のスリットからなり、この「く」の字の屈曲部分にウエットティッシュを容易に取り出すための広口開口部を形成することができる。このようなウエットティッシュの開口部は、スリット状であることが好ましく、このスリットの間隙幅は、通常は１mm〜５cm、好ましくは１ｍｍ〜４．５cm、特に好ましくは１ｍｍ〜3cmもっともこのましくは１ｍｍ〜１０ｍｍであり、その長さは、引出そうとするウエットティッシュの幅の通常は１５〜９９％、好ましくは１５〜８０％、好ましくは１５〜７０％、特に好ましくは１０〜５０％、さらに好ましくは１０〜５０%、特に好ましくは１０〜４０％の範囲とすることができる。さらに、このスリットは、直線的であってもよく、また図１１に示すように非直線的であってもよい。また、本発明におけるスリットの概念は、所謂狭い間隙を有するという本来のスリットの意味のほか、円形、正方形、長方形、楕円形、長方形あるいは正方形の両端部が面取りされて変形された概略正方形、概略長方形など種々の形状にすることができる。また、スリットの最も狭い部分の幅／スリットの最も長い部分長さとの比を通常は１／３以下、好ましくは１／５以下、特に好ましくは１／５〜１／４０の範囲、さらに好ましくは１／４〜１／１０の範囲内にすることが好ましい。
【００７１】
また、この図１１に示す詰め替え用包装ウエットティッシュ５４の外箱の抵抗隔壁７０は上蓋材５６の上端部の開閉蓋６４の閉めたときに、開閉蓋６４と抵抗隔壁７０との間に、次に引き出されるウエットティッシュの先端部が滞留するための間隙が形成されていることが好ましい。即ち、開閉蓋６４の底部よりも抵抗隔壁７０が一段低く形成されていることが好ましい。また、開閉蓋６４の裏面には発泡ポリオレフィン、発泡ポリスチレンなどの樹脂発泡体などからなる緩衝部材７４を配置することが好ましい。このような緩衝部材７４を配置することにより、容器の密閉性が良好になる。
【００７２】
このような容器は、平坦な基台部５１は、比較的硬質の合成樹脂、例えばポリスチレンなどの熱可塑性樹脂から形成することが好ましく、ドーム型の上蓋材５６は、この基台部５１を形成する樹脂よりも軟質のポリオレフィン、特にポリプロピレンなどから形成することができる。また、上蓋材５６の上面部５８に形成される開閉蓋６４も上蓋材と同様の軟質の樹脂で形成することが好ましい。また、この容器は、容器の縁部、角部などにアールを付けて鋭角な部分を形成しないことが好ましい。また、この容器は上部よりも下部の面積（横断面積）をおおきくすることが好ましい。このようにすることにより本発明のウエットティッシュ供給キットが転倒しにくくなり、非常に使用し易くなる。特に容器の上部の縁部にアールをつけることにより、この容器を非常に安定した状態で使用することが可能になる。
【００７３】
また、本発明のウエットティッシュ薬剤を含浸している包装ウエットティッシュ中には相当量の水分を含有することから、容器に収容した際にある程度の重さを有することから、ウエットティッシュを引き出す際に容器が持ち上がり転倒することが少なく非常に使用し易い。
さらに、本発明のウエットティッシュ用薬液に植物エキスを配合することにより、得られるウエットティッシュにデオドラント効果を発現させることができる。しかも、このような植物エキスを配合することによって、本発明のウエットティッシュ用薬液の有するカチオン性樹脂とアニオン性樹脂とを含有する樹脂組成物から形成された繊維を有する水解性の不織布に特異的に作用する防菌、防黴性能は維持され損なわれることがない。
【００７４】
このような植物エキスを配合したウエットティッシュ用薬液を含有するウエットティッシュは、上記のウエットティッシュと同様に水不透過性包装材料からなる包装袋に一枚づつ引出し可能に折りたたまれ、あるいは、ミシン目で切断可能につながれた不織布と共に収容される。
この包装ウエットティッシュの包装袋は、上面部にウエットティッシュを取り出し可能な開口部を有すると共に、この開口部は使用時には開口し、使用しないときには閉鎖するように開口片を有している。この包装ウエットティッシュを携帯用として使用する場合には、この開口片の接着面には、包装袋に形成された開口部を繰り返し密封・開口可能なように再付着性のある接着剤層が塗設されており、かつその一端部は、こうした繰り返し密封・開口によっても開口片が剥離しないように、包装袋に強固に接着されている。また、包装ウエットティッシュの開口部に対応する位置の開口片の裏面は、収容されているウエットティッシュがこの開口片に形成されている接着剤層と接触しないようにされている。例えば、この開口部に対応する位置にマスキング剤を配して接着剤層を設けない方法、包装袋の開口部に対応する位置に破断線を形成して、開口片を最初に剥離する際に包装袋の開口部が形成されるように包装袋の上面部を開口片に接着させながら開口片を剥離する方法、開口部に対応する開口片の接着剤層の上に接着力を減失させるように印刷を施す方法など種々の方法で開口片の裏面の接着剤層と収容されているウエットティッシュとが接触しないようにすることができる。身体の局部を外出先で清拭するために使用されることが多い上記のような植物エキスを含有するウエットティッシュ用薬液を含有する包装ウエットティッシュ（デリケートウエットティッシュ）は、上記のように携帯型とすることが多いが、このような携帯型のほかに上述のように据え置き型とすることもできる。この場合に、上面の開口部を覆う開口片には、再付着性の接着剤を用いる必要はなく、また、この開口片は、最初に使用されるときに剥離して廃棄される。
【００７５】
そして、本発明の包装ウエットティッシュは、包装袋に薬液と共に包装されている状態では水解することはなく、一葉づつ容器から取り出すことが可能であるが、多量の水と接触することにより水解するので、このウエットティッシュを使用後は、水洗トイレなどに流して処理することができる。
そして、この包装ウエットティッシュには、上記のように安息香酸ナトリウムと、乳酸ナトリウムおよび／またはフェノキシエタノールとを含有する薬液が含浸しており、この薬液は、非常に優れた抗菌性および抗黴性を有しているので、長期保存しても、このウエットティッシュ中で雑菌が繁殖することがなく、また、黴が発生することもない。また包装ウエットティッシュは、水不透過性包装体に囲繞されたまま据え置き容器に収納されて使用されることから、水分の蒸散を最小限度にすることができ、従って長期間湿潤状態で使用することができる。
【００７６】
このような包装ウエットティッシュは例えば乳幼児および介護用の清拭用品、特に乳幼児用のおしり拭きおよびトイレ清掃用具などの衛生用品に適用することができる。
【００７７】
【発明の効果】
本発明のウエットティッシュ用薬液は、カチオン性樹脂とアニオン性樹脂とを含有する樹脂組成物から形成された繊維からなる不織布を用いたウエットティッシュの防菌・防黴剤である。このような不織布に、従来のパルプなどからなるウエットティッシュにおける防菌・防黴剤（例えば塩化ベンザルコニウム、パラペンなど）を配合しても、有効な防菌・防黴性能が発現しないが、本発明のウエットティッシュ用薬液を用いることによりこのような特殊な不織布を用いたウエットティッシュに有効に防菌・防黴性能を発現させることができる。
【００７８】
このような本発明のウエットティッシュ用薬液の防菌・防黴性は、カチオン性基とアニオン性基とを有する不織布に特異的に有効であり、このような不織布に従来から広汎に使用されている防菌・防黴剤は有効に使用することはできない。
このような安息香酸ナトリウムと、乳酸ナトリウムおよび／またはフェノキシエタノールとからなる防菌・防黴剤を含有する薬液により浸潤状態にされたウエットティッシュは、こうした少量の水性媒体が含浸した浸潤状態では、その形態が損なわれることがなく、湿潤時にある程度の引っ張り強度を保持するが、水流中にさらすなどして多量の水と接触することにより開繊して溶解分散する。従って、本発明のウエットティッシュ用薬液を含浸したウエットティッシュは水不透過性包装袋に収納して長期間保存・使用することができる。そして、使用後にはウエットティッシュを水洗トイレなどで水解処理することができる。
【００７９】
また、本発明のウエットティッシュ用薬液を含浸させる不織布は、繊維長さによらず、解離性の極性基を繊維に導入することにより解繊性を付与しているので、長繊維を使用することが可能であり、短繊維の水解性不織布からなるウエットティッシュよりも良好な風合いおよび肌触りを有している。さらに、この不織布には、水解性バインダーが使用されていないので、水解性バインダーによる肌荒れなども発生せず、乳幼児あるいは老人など皮膚の抵抗力の低い人に対しても安全に使用することができる。
【００８０】
また、植物エキスを含有するウエットティッシュ用薬液を用いて形成されたウエットティッシュは、良好な防菌・防黴効果を有すると共に、良好なデオドラント効果を有し、身体の局部の清拭、介護用の清拭布などとして好適に使用することができる。
そして、このような本発明の薬液を用いて製造されたいずれのウエットティッシュも、使用後に水洗トイレなどに流して処理することができるので、非常に衛生的である。
【００８１】
【実施例】
以下、実施例に基づいて、本発明に係る不織布およびそれを用いた体液吸収体の好ましい態様をさらに具体的に説明するが、本発明はこれらに限定されるものではない。
【００８２】
【実施例１〜９】
ビスコースレーヨンを７０重量％、ポリアクリル酸ナトリウムを１５重量％、カチオン化セルロースを１５重量％含有する樹脂組成物を用いて繊維を作成した。この作成方法を下記に示す。
【００８３】
常法によって製造された、セルロース濃度９．０重量％、アルカリ濃度５．７重量％のビスコース７０重量部にポリアクリル酸ナトリウムとカチオン化セルロースの混合溶液（ポリアクリル酸ナトリウム４．５重量％、カチオン化セルロース４．５重量％、水酸化ナトリウム０．５重量％）３０重量部を加えて撹拌機で充分混合し分散させた。しかる後通常の紡糸工程で３．０デニール、３８ｍｍカット長の繊維とした紡糸工程における水溶性高分子の溶出はほとんど検出されないことがわかった。この繊維を精錬機を通して脱硫−水洗−漂白−水洗し、さらに油剤を付与し乾燥した。
【００８４】
この繊維を試験用のカード機でウェブを形成した後に、このウェブを６ｍ／分の速度で移動させながら２５ｋｇ／ｃｍ2の高圧水ジェット流で交絡処理した。交絡処理したウェブを乾燥して目付が２５ｇ／ｍ2、厚さ０．２６ｍｍである不織布を作成した。
この不織布から幅５０ｍｍの試験片を作成し、この試験片を蒸留水（ｐＨ値；約５.５）に１０分間浸漬した後、チャック間隔が１００ｍｍで、引っ張り速度３００ｍｍ／分で縦方向および横方向に延伸して最大荷重を測定して、これを各方向での引っ張り強度とした。結果を表１に示す。
【００８５】
これとは別に表２に示す量で安息香酸ナトリウムと、乳酸ナトリウムと、フェノキシエタノールと、他の成分を水に配合して全体を１００重量部として本発明のウエットティッシュ用薬液を調製した。
この薬液を上記不織布１０ｇに対して２６ｇ添加して２４時間放置した。
次いで、この不織布を引き上げ、不織布に含浸した薬液を搾り出し、この搾り出した薬液を用いて黒かびの一種であるAspergillus niger を培養した。このように搾り出した薬液を用いて培養試験を行うことにより、不織布に捕捉されて実質的に活性を失った防菌・防黴剤を除くことができるので、この薬液をウエットティッシュに用いた場合の実質的な防菌・防黴性能を判断することができる。
【００８６】
結果を表２に合わせて記載する。
また、容量２００mlの分液ロートに蒸留水（ｐＨ値；約５.５）１００mlを入れ、この中に２cm×２cmに切り出した上記不織布を入れ、３０秒間振盪してこの不織布を解繊した。この分液ロート内容物をブンゼンロートにあけて脚部（脚部の内径１０mm）からの分液ロート内容物の流出状態を観察したところ、全量が脚部から１５秒以内に流れ出した。このような状態で流れ出す解繊繊維は水洗トイレの管詰まりを起こさない。
【００８７】
【比較例１】
実施例１において、薬液の組成を表２に示すようにした以外は、同様にしてウエットティッシュを製造し、このウエットティッシュから搾り出した薬液を用いて、Aspergillus niger を培養した。結果を表２に併せて記載する。
この比較例１で用いた薬液は、市販されているウエットティッシュで使用されている極めて一般的な薬液の例であり、通常のウエットティッシュでは、この薬液を用いることにより、雑菌あるいは黴の増殖は極めて有効に抑制することができるが、本発明の薬液が用いられるカチオン性基とアニオン性基を有する繊維からなる不織布を用いたウエットティッシュでは黴の増殖を抑制するには充分な効果がえられない。
【００８８】
【比較例２〜９】
上記比較例１の結果を踏まえて、種々の防菌・防黴剤を組み合わせて実施例１と同様にして薬液を調製し、この薬液の防菌・防黴効果を調べた。結果を表３に示す。この結果から、従来からウエットティッシュ用の薬液に配合されていたパラペン系の防菌・防黴剤、CPC、塩化ベンザルコニウムのような４級アンモニウム化合物などは、カチオン性基およびアニオン性基を有する繊維から形成された不織布を用いたウエットティッシュの防菌・防黴剤として殆ど機能しないことがわかった。
【００８９】
同時に実験した安息香酸ナトリウムを含む薬液（実施例５および実施例６）において、カチオン性基およびアニオン性基を有する繊維から形成された不織布を用いたウエットティッシュの防菌・防黴剤として、安息香酸ナトリウムの有効性が認められた。この実施例５は安息香酸ナトリウムと乳酸ナトリウムとの併用系であり、実施例６は安息香酸ナトリウムとフェノキシエタノールとの併用系である。
【００９０】
この結果から、カチオン性基およびアニオン性基を有する繊維から形成された不織布を用いたウエットティッシュの防菌・防黴剤としては、安息香酸ナトリウムは他の防菌・防黴剤と比較するとその有効性が著しく高く、さらにこの安息香酸ナトリウムと、乳酸ナトリウムおよびフェノキシエタノールとを組み合わせた3成分系（実施例１〜４および実施例７〜１１）では、上記安息香酸ナトリウムを含む2成分系よりも薬液の安定性がよく、極めて良好な防菌・防黴性能を示した。
【００９１】
このように安息香酸ナトリウム、乳酸ナトリウムおよびフェノキシエタノールからなる防菌・防黴剤が、他の防菌・防黴剤と比較して著しく優れた防菌・防黴効果を奏するということは、従来から使用されているパルプなどを用いた一般のウエットティッシュでは認知されておらず、本発明者の行った実験によっても通常のウエットティッシュにおいて、安息香酸ナトリウム、乳酸ナトリウムおよびフェノキシエタノールからなる防菌・防黴剤が、他の防菌・防黴剤よりも著しく優れているとの知見は得られていない。
【００９２】
従って、上記のような安息香酸ナトリウム、乳酸ナトリウムおよびフェノキシエタノールからなる防菌・防黴剤の示す防菌・防黴効果は、対象物が  カチオン性樹脂とアニオン性樹脂とを含有する樹脂組成物から形成された繊維を有する不織布を用いたウエットティッシュにおいて特異的に奏される効果である。
【００９３】
【実施例１２】
実施例１において、組成をレーヨン５０重量％、ポリアクリル酸ナトリウム２５重量％、カチオン化セルロース２５重量％とした以外は実施例１と同様に物性を測定した。結果を表１に示す。
なお、この不織布は実施例１と同様に、蒸留水中では２分後に水解性を示した。
【００９４】
また、この不織布を用いて実施例１と同様にしてAspergillus niger を培養したところ、実施例１と同様にAspergillus niger は増殖しなかった。
【００９５】
【表１】
0004932077.tif 000002
【００９６】
【表２】
0004932077.tif 000003
【００９７】
【表３】
0004932077.tif 000004
【００９８】
【実施例１３】
上記実施例１で製造した不織布７０枚８４ｇを、各葉が互いに重なり合うように折り畳んで、アルミニウム蒸着層を有するプラスチック性のラミネートフィルムで形成された水不透過性包装袋に収容した。この収容袋内に、実施例１で使用した薬液を２１８ｇ入れ、収容袋の解放口をヒートシールして包装ウエットティッシュを製造した。
【００９９】
この薬液の組成は次の通りである。
安息香酸ナトリウム・・・・・・・０．６０重量部
５０％乳酸ナトリウム液・・・０．２０重量部（乳酸ナトリウムとして0.10重量部）
フェノキシエタノール・・・・・０．７０重量部
クエン酸1水和物・・・・・・・・・０．３９重量部
クエン酸ナトリウム・・・・・・・０．２０重量部
1,3-ブチレングリコール・・・・５．００重量部に
精製水・・・・・・・・・・・・・・・・・９２．９１重量部
を加えて全量を１００重量部とした。
【０１００】
この包装ウエットティッシュの包装袋の上面には、収容されているウエットティッシュを取り出すための切り込みが形成されており、この切り込みは、切り込みを覆うようにアクリル系接着剤でシール部材が貼着されている。
この包装ウエットティッシュを９０日間放置した後、シール部材を剥離撤去して硬質プラスチックからなる容器に収容し、この容器に蓋をして、蓋体上部の開口部から容器に包装袋ごと収容されているウエットティッシュを一枚一枚取り出したところ、紙切れもなく、全部の不織布を取り出すことができた。この不織布は非常に風合いがよく、柔らかで絹のような肌触りを有していた。
【０１０１】
また、こうして取り出された不織布は、上記実施例１に示したのと同程度の水解性を有していた。
これとは別に、上記と同様にして製造したウエットティッシュからシール部材を剥離撤去して硬質プラスチックからなる容器に収容し、この容器に蓋をして室温に放置した。
【０１０２】
１０日経過後に包装ウエットティッシュを容器から取り出し、包装袋を解体して黴あるいは雑菌繁殖状況を調べたが、黴の発生は見られず、また、雑菌の繁殖による変色などの変化は観察されなかった。
【０１０３】
【実施例１４】
実施例１３において、ウエットティッシュ用薬液の組成を以下にように変えた。
この薬液の組成は次の通りである。
安息香酸ナトリウム・・・・・・・０．６０重量部
５０％乳酸ナトリウム液・・・０．２０重量部（乳酸ナトリウムとして0.10重量部）
フェノキシエタノール・・・・・０．７０重量部
クエン酸・・・・・・・・・・・・・・・・・適量
クエン酸３ナトリウム・・・・・０．２０重量部
プロピレングリコール・・・・・５．００重量部に
精製水を加えて全量を１００重量部とした。
【０１０４】
このウエットティッシュ用薬液のｐH値は、クエン酸の量を調整することにより４．５〜４．２に維持した。
上記のウエットティッシュ用薬液を実施例１３と同様に水解性不織布に含浸させ、詰め替え用袋に収容したこの包装ウエットティッシュを９０日間放置した後、シール部材を剥離撤去して図１１に示す形態の容器に収容し、この容器に蓋をして、蓋体上部の開口部から容器に包装袋ごと収容されているウエットティッシュを一枚一枚取り出したところ、紙切れもなく、全部の不織布を取り出すことができた。この不織布は非常に風合いがよく、柔らかで絹のような肌触りを有していた。
【０１０５】
また、こうして取り出された不織布は、上記実施例１に示したのと同程度の水解性を有していた。
これとは別に、上記と同様にして製造したウエットティッシュからシール部材を剥離撤去して図１１に示す形態の容器に収容し、この容器に蓋をして室温に放置した。
【０１０６】
１０日経過後に包装ウエットティッシュを図１１に示す形態の容器から取り出し、包装袋を解体して黴あるいは雑菌繁殖状況を調べたが、黴の発生は見られず、また、雑菌の繁殖による変色などの変化は観察されなかった。
【０１０７】
【実施例１５】
実施例１３において、ウエットティッシュ用薬液の組成を以下にように変えた。
この薬液の組成は次の通りである。
安息香酸ナトリウム・・・・・・・０．６０重量部
乳酸ナトリウム・・・・・・・・・・・０．１２５重量部（カキ抽出液に50％の量で含有）
フェノキシエタノール・・・・・０．７０重量部
クエン酸・・・・・・・・・・・・・・・・・適量
クエン酸３ナトリウム・・・・・０．２０重量部
濃グリセリン・・・・・・・・・・・・・３．００重量部
カキ抽出液・・・・・・・・・・・・・・・０．５重量部に
精製水を加えて全量を１００重量部とした。
【０１０８】
なお、このカキ抽出液は、
カキタンニン・・・・・・・・・・・・・・・・・・５重量％
1,3-ブチレングリコール・・・・・・・２６重量％
乳酸ナトリウム（50％液）・・・・５０重量％
精製水・・・・・・・・・・・・・・・・・・・・・・・・５重量％
このウエットティッシュ用薬液のｐH値は、クエン酸の量を調整することにより４．５〜４．２に維持した。
【０１０９】
上記のウエットティッシュ用薬液を実施例１３と同様に水解性不織布に含浸させ、水不透過性の包装袋に収容したこの包装ウエットティッシュを９０日間放置した後、シール部材を剥離して包装袋に長さ４cm、幅２cmの開口部を形成して開口部を形成し、この包装袋から収容されているウエットティッシュを一枚一枚取り出したところ、紙切れもなく、全部の不織布を取り出すことができた。この不織布は非常に風合いがよく、柔らかで絹のような肌触りを有していた。また、ほのかに植物エキス臭がして非常に使いごこちがよかった。
【０１１０】
また、こうして取り出された不織布は、上記実施例１に示したのと同程度の水解性を有していた。
これとは別に、上記と同様にして製造したウエットティッシュからシール部材を剥離して開口部を形成した後、、この包装袋にシール部材を再度付着させて室温に放置した。
【０１１１】
１０日経過後に包装ウエットティッシュを包装袋から取り出し、包装袋を解体して黴あるいは雑菌繁殖状況を調べたが、黴の発生は見られず、また、雑菌の繁殖による変色などの変化は観察されなかった。
また、こうして得られたデオドラント性を有するデリケートウエットティッシュを用いて、身体の粘膜部分を清拭したが、刺激などはなく、配合した植物エキスによる体臭防止効果があった。
【０１１２】
さらに、上記デリケートウエットティッシュを実施例１３と同様に据え置き型容器の詰め替え用に包装して、防菌・防黴性を調べたが、黴の発生は見られず、また、雑菌の繁殖による変色などの変化は観察されなかった。
【図面の簡単な説明】
【図１】図１は、包装ウエットティッシュの具体例を示す説明図であり、蓋部（ａ）、包装ウエットティッシュ（ｂ）および容器本体（ｃ）を示す。
【図２】図２はウエットティッシュの折り畳み方の具体例を示す断面図である。
【図３】図３は、ミシン目でつながったウエットティッシュを示す説明図である。
【図４】図４は、キットの使用状態を示す断面図である。
【図５】図５は、キットの使用状態を示す斜視図である。
【図６】図６は、キットの他の具体例を示す説明図である。
【図７】図７は、抵抗隔壁の他の具体例を示す平面図である。
【図８】図８は、包装ウエットティッシュの取り出し口の他の具体例を示す斜視図である。
【図９】図９は、図１に示す抵抗隔壁の詳細平面図である。
【図１０】図１０は、抵抗隔壁の種々の具体例を示す平面図である。
【図１１】図１１は、本発明のウエットティッシュ用薬剤を含浸した詰め替え様包装ウエットティッシュを収容するための容器の他の態様を示す分解斜視図である。
【符号の説明】
１・・・容器
２・・・包装ウエットティッシュ
１０・・・蓋部
１１・・・開口部
１４・・・抵抗隔壁
１７・・・取り出し口
１８・・・膨張部
２１・・・ウエットティッシュ
２２・・・包装袋
２３・・・切り込み
２４・・・取り出し口
２７・・・ミシン目
３０・・・容器本体
３１・・・受部
３３・・・収容部
５１・・・基台部
５２・・・下端部
５４・・・詰め替え用包装ウエットティッシュ
５６・・・ドーム型の上蓋材
５８・・・上面部
６０・・・弾性部材
６２・・・係合部
６４・・・開閉蓋
６８・・・回動軸
７０・・・抵抗隔壁
７２・・・挟持されたウエットティッシュ
【図１】
0004932077.tif 000005
【図２】
0004932077.tif 000006
【図３】
0004932077.tif 000007
【図４】
0004932077.tif 000008
【図５】
0004932077.tif 000009
【図６】
0004932077.tif 000010
【図７】
0004932077.tif 000011
【図８】
0004932077.tif 000012
【図９】
0004932077.tif 000013
【図１０】
0004932077.tif 000014
【図１１】
0004932077.tif 000015